(57)【特許請求の範囲】
【請求項１】
湯の取入口、水の取入口、水または混合湯水の流路、流量調整された水または混合湯水の流出口、前記湯の取入口に連通する湯用継手および前記水の取入口に連通する水用継手を有する水栓本体と、
上面開口および係合片を有するとともに、前記水栓本体が前記上面開口を介して着脱自在に収容されるハウジング本体と、
前記流出口から流出可能な混合湯水の温度を調整するための温度調整ハンドルと、
温度を調整された混合湯水の流量を調整するための流量調整ハンドルと、
洗濯機の給水ホースの上流端に設けられた継手部材が着脱自在である接続部と、
前記係合片に係合する係止爪を有するとともに、前記上面開口を覆うよう前記ハウジング本体に着脱自在に装着される化粧カバーと
を有する湯水用の水道用コンセントを、
洗濯機が載置される平面視略矩形の底部とこの底部の周縁から上方に連設された周縁部を有するとともに、
前記水道用コンセントの前記湯用継手および水用継手がそれぞれ挿通可能なように前記底部２の一つの角における上面に穿設されている一対の穴を有する状態で床に配置される洗濯機用パンに取り付けるにあたり、
前記係合片と連結可能な連結部を有する箱状の枠部材を用いてなる洗濯機用パンへの水道用コンセント取り付け方法であって、
枠部材にハウジング本体を収容するとともに、ハウジング本体の前記係合片を枠部材の前記連結部に連結してハウジング本体を枠部材に固定設置する工程と、
前記係合片に化粧カバーの前記係止爪を係合しながら、ハウジング本体の前記上面開口を化粧カバーで覆うことにより、枠部材に前記水道用コンセントを装着する工程と、
前記水道用コンセントが装着された枠部材を床に配置されている洗濯機用パンに設置する工程とを備え、
さらに、洗濯機用パンに設置する工程において、床直下にまで延設されている湯配管に上流端が接続されている湯用フレキシブル管の下流端が接続可能なように前記水道用コンセントの前記湯用継手に形成された接続孔に湯用フレキシブル管の下流端を接続するとともに、床直下にまで延設されている水配管に上流端が接続されている水用フレキシブル管の下流端が接続可能なように、前記水道用コンセントの前記水用継手に形成された接続孔に水用フレキシブル管の下流端を接続するようにし、
また、前記水道用コンセントを収容してある枠部材を洗濯機用パンの前記底部の一つの角における上面および前記周縁部の一つの角における隣接する内側面に接着して固定するようにしてあることを特徴とする洗濯機用パンへの水道用コンセント取り付け方法。
【請求項２】
前記水道用コンセントの前記ハウジング本体は、洗濯機用パンの前記底部から浮いた状態で前記枠部材に固定されている請求項１に記載の洗濯機用パンへの水道用コンセント取り付け方法。
【発明の詳細な説明】
【０００１】
【発明の属する技術分野】
この発明は、洗濯機を載置する洗濯機用パンへの水道用コンセント取り付け方法に関するものである。
【０００２】
【従来の技術】
本出願人は、洗濯機が載置される平面視略矩形の底部とこの底部の周縁から上方に連設された周縁部よりなり、底部の一つの角に給水機構を有し、この給水機構から洗濯機に給水できる構成を持った洗濯機用パンを開発中である。
【０００３】
この発明は、給水および／または給湯機構のメンテナンスが容易に行える洗濯機用パンへの水道用コンセント取り付け方法を提供することを目的とする。
【０００４】
【課題を解決するための手段】
上記目的を達成するために、この発明は、湯の取入口、水の取入口、水または混合湯水の流路、流量調整された水または混合湯水の流出口、前記湯の取入口に連通する湯用継手および前記水の取入口に連通する水用継手を有する水栓本体と、
上面開口および係合片を有するとともに、前記水栓本体が前記上面開口を介して着脱自在に収容されるハウジング本体と、
前記流出口から流出可能な混合湯水の温度を調整するための温度調整ハンドルと、
温度を調整された混合湯水の流量を調整するための流量調整ハンドルと、
洗濯機の給水ホースの上流端に設けられた継手部材が着脱自在である接続部と、
前記係合片に係合する係止爪を有するとともに、前記上面開口を覆うよう前記ハウジング本体に着脱自在に装着される化粧カバーと
を有する湯水用の水道用コンセントを、
洗濯機が載置される平面視略矩形の底部とこの底部の周縁から上方に連設された周縁部を有するとともに、
前記水道用コンセントの前記湯用継手および水用継手がそれぞれ挿通可能なように前記底部２の一つの角における上面に穿設されている一対の穴を有する状態で床に配置される洗濯機用パンに取り付けるにあたり、
前記係合片と連結可能な連結部を有する箱状の枠部材を用いてなる洗濯機用パンへの水道用コンセント取り付け方法であって、
枠部材にハウジング本体を収容するとともに、ハウジング本体の前記係合片を枠部材の前記連結部に連結してハウジング本体を枠部材に固定設置する工程と、
前記係合片に化粧カバーの前記係止爪を係合しながら、ハウジング本体の前記上面開口を化粧カバーで覆うことにより、枠部材に前記水道用コンセントを装着する工程と、
前記水道用コンセントが装着された枠部材を床に配置されている洗濯機用パンに設置する工程とを備え、
さらに、洗濯機用パンに設置する工程において、床直下にまで延設されている湯配管に上流端が接続されている湯用フレキシブル管の下流端が接続可能なように前記水道用コンセントの前記湯用継手に形成された接続孔に湯用フレキシブル管の下流端を接続するとともに、床直下にまで延設されている水配管に上流端が接続されている水用フレキシブル管の下流端が接続可能なように、前記水道用コンセントの前記水用継手に形成された接続孔に水用フレキシブル管の下流端を接続するようにし、
また、前記水道用コンセントを収容してある枠部材を洗濯機用パンの前記底部の一つの角における上面および前記周縁部の一つの角における隣接する内側面に接着して固定するようにしてあることを特徴とする洗濯機用パンへの水道用コンセント取り付け方法。
【請求項２】
前記水道用コンセントの前記ハウジング本体は、洗濯機用パンの前記底部から浮いた状態で前記枠部材に固定されている。
【０００５】
【０００６】
この発明において、洗濯機用パンの底部が平面視略矩形とは以下のことを意味する。すなわち、底部２の四つの角が、それぞれ直角に交わった辺Ｌ，Ｍで構成される図８に示すような平面視長方形の場合のみならず、図１に示すように、底部２の四つの角がアールを描いたり、あるいは、図示はしないが、底部２の四つの角が面取りされた形状をも含む。
【０００７】
【発明の実施の形態】
以下にこの発明の実施の形態について説明する。なお、この発明はそれによって限定されるものではない。
【０００８】
図１〜図７は、洗濯機が載置される平面視略矩形の底部の一つの角における上面に、混合湯水を洗濯機に供給できる湯水用の水道用コンセントを収容してある箱状の枠部材を固定状態で有し、この湯水用の水道用コンセントに設けた配管接続用の継手が挿通可能な穴を前記底部に有するとともに、床直下にまで延設されている配管と前記配管接続用の継手とを接続するフレキシブル管を有し、前記底部の前記一つの角からもう一つの角に前記枠部材の固定位置を変更しても対応可能なように前記配管接続用の継手を回動自在に構成してあるこの発明の第１の実施形態を示す。
【０００９】
図１〜図７において、１は、洗濯機用パンで、洗濯機が載置される平面視長方形の合成樹脂製の底部２と、この底部２の周縁ａから上方に連設された合成樹脂製の周縁部３を有する。底部２と周縁部３は一体に形成されている。そして、洗濯機用パン１は床Ｆの上面（以下、床面という）Ｆ1 に、外板部分（後述する）７の底面が当接した状態で配置されている。底部２は、直交する辺Ｌ，Ｐ（＜Ｌ）を有する。
【００１０】
周縁部３は、底部２の周縁ａから略垂直に上方向へ連設された内板部分５、この内板部分５の端部ｂから水平方向に外方側に連設された上板部分６およびこの上板部分６の端部ｃから略垂直に下方向に連設された前記外板部分７からなる。周縁部３は、床面Ｆ1 によって閉塞される下方開口４を有する。
【００１１】
８は、混合湯水または水を洗濯機の給水ホースに供給できる構成を持つ湯水用の水道用コンセントである。この湯水用の水道用コンセント８は、箱状の枠部材５０に固定状態で収容してある。そして、枠部材５０は、底部２の一つの角１００における上面２ａに固定状態で設けられている。
【００１２】
まず、湯水用の水道用コンセント８について説明する。
【００１３】
湯水用の水道用コンセント８は、金属製の水栓本体９と、この水栓本体９が平面視長方形の上面開口１０ａを介して着脱自在に収容される金属製で縦長のハウジング本体１０と、水の取入口１５から流入した水と湯の取入口（図示せず）から流入した湯が混合されてなる混合湯水の温度を調整するための樹脂製の温度調整ハンドル１１と、温度を調整された混合湯水の流量を調整するための樹脂製の流量調整ハンドル１２と、洗濯機の給水ホース（図示せず）の上流端に設けられた継手部材（図示せず）が着脱自在であるホース接続部３００と、ハウジング本体１０の前記上面開口１０ａを覆うよう前記ハウジング本体１０に着脱自在に装着される樹脂製の化粧カバー１３とを主として有する。
【００１４】
前記化粧カバー１３は、図１、図２に示すように、ハウジング本体１０の長手方向（両矢印Ｓ’で示す方向）に沿う形で、流量調整ハンドル１２が配置される開口１３ｂ、ホース接続部３００が配置される開口１３ｃおよび温度調整ハンドル１１が配置される開口１３ｄを順次有するとともに、Ｓ方向に沿う両側端に脚部１３ａ，１３ａを有する。この脚部１３ａ，１３ａは、開口１３ｂに対応する位置に対向配置されるとともに、開口１３ｃおよび開口１３ｄ間の位置に対応する位置に対向配置されている。また、前記脚部１３ａは、ハウジング本体１０に係止する係止爪１３ｅを下端に有する。また、ハウジング本体１０は、水栓本体９が収容されるための前記上面開口１０ａを有する有底の箱体で、平面視長方形の底部２６と、四つの側面部２７，２８，２９，３０で構成される。更に、ハウジング本体１０は、化粧カバー１３に設けた四つの前記脚部１３ａの係止爪１３ｅがそれぞれ係合する係合片４５（図５、図７参照）を有する。
【００１５】
水栓本体９は、温度調整機能ならびに配管接続機能を有する上流部９ａと、流量調整機能を有する下流部９ｂよりなる。上流部９ａと下流部９ｂは、左右一対のねじ１４で接続されている。
【００１６】
更に、上流部９ａは、混合湯水の温度を調整する部材としてのセラミック製ミキシングカートリッジ１６（特願２０００−０７６９１２号明細書、図面参照）と、前記水の取入口１５に連通する水用継手１７ａ（水側の配管接続用継手）と、前記湯の取入口に連通する湯用継手（湯側の配管接続用継手）１７ｂとを有する。そして、この実施形態では、湯水用の水道用コンセント８は、底部２の短辺ＰにＳ’方向を沿わす形で配置される。
【００１７】
１６ａは、前記ミキシングカートリッジ１６を収容するケース体で、上流部９ａの温度調整室１８内において取り替え自在に装着されている。そして、ケース体１６ａに前記水の取入口１５と前記湯の取入口が形成されている。
【００１８】
セラミック製ミキシングカートリッジ１６は、前記湯の取入口および水の取入口１５の下流側に、ディスク状セラミック製固定弁体が位置するとともに、この固定弁体の下流面を回動自在に摺動するディスク状セラミック製可動弁体を有する。そして、温度調整ハンドル１１に固着された弁棒１９が前記可動弁体の下流面に係合している。これにより、温度調整ハンドル１１の回転により湯水の混合比率を変化させることができる。
【００１９】
一方、下流部９ｂは、セラミック製ミキシングカートリッジ１６の前記固定弁体および可動弁体によって形成される水流路を通ってきた水、または、セラミック製ミキシングカートリッジ１６によって温度調整された混合湯水の流路ｉと、この流路ｉ内の水または混合湯水の流量を調整するための弁体（図示せず）と、流量調整された水または混合湯水の流出口２０とを有する。２１は、前記弁体を収容しているケースである。２２は、前記弁体を開位置または閉位置に移動させるための弁棒であり、１２ａは、流量調整ハンドル１２に固着された弁棒である。
【００２０】
ハウジング本体１０の底部２６は、ねじ３３（図７参照）によって水栓本体９を固定するための一対のねじ孔３１，３１（図６参照）を有する一方、水栓本体９の上流部９ａは、前記ねじ３３が挿通する孔３２を左右一対の取付部９ａ’，９ａ’に有する。そして、上流部９ａと下流部９ｂをねじ１４で接続した後、前記孔３２を介してねじ３３をねじ孔３１に螺合するだけで、水栓本体９を底部２６に固定できる。また、ねじ３３をねじ孔３１から外すだけで水栓本体９をハウジング本体１０から容易に取り外すことができる。なお、底部２６の底面２６ａからねじ３３の先端部が突出した状態になる。その後、化粧カバー１３の開口１３ｂに流量調整ハンドル１２を位置させ、開口１３ｃにホース接続部３００を位置させ、開口１３ｄに温度調整ハンドル１１を位置させながら、前記上面開口１０ａを化粧カバー１３で覆い、係合片４５の下面に前記係止爪１３ｅを係合させることで化粧カバー１３をハウジング本体１０に係止できる。
【００２１】
更に、前記底部２６は、水栓本体９の上流部９ａに設けた前記水用継手１７ａと前記湯用継手１７ｂに対応する位置に切欠Ｋを有する。
【００２２】
また、前記底部２６は、水栓本体９の下流部９ｂにおける流量調整ハンドル１２に対応する背面Ｍに当接する受け３７を有する。なお、４０は、底部２６に設けた凹みで、底部２６の底面２６ａから突出している。この突出量は、ねじ３３の先端部の突出量よりも小さい。４１は、底部２６に形成された左右一対の長孔である。また、４２は、丸孔である。
【００２３】
以下、この発明の特徴的構成について説明する。
【００２４】
前記枠部材５０は、縦長のハウジング本体１０が収容可能な大きさを有する。すなわち、前記枠部材５０は、底部２の一つの角１００における上面２ａに接着剤で接着される下面６０ａ，６１ａ（図２、図５参照）を有する隣接する両側面部６０，６１と、前記周縁部３の一つの角１００における内側面３ｂに接着剤で接着される外側面６２ａ（図５参照）を有する側端面部６２と、前記周縁部３の一つの角１００における内側面３ａに接着される外側面６３ａ（図４参照）を有する側端面部６３と、両側面部６０，６１および両側端面部６２，６３の上端によって形成されるとともに、ハウジング本体１０に係止された化粧カバー１３によって閉塞される上方開口５１とを備えている。更に、前記枠部材５０の両側面部６０，６１に対向する側面は、前記両側端面部６２，６３を残す形で切欠いてある。
【００２５】
また、側面部６０、側面部６１および側端面部６３の上板部分Ｑ1 ，Ｑ2 ，Ｑ3 の横幅ｔは同じ幅に設定されるとともに、側端面部６２の上板部分Ｑ4 の横幅Ｔは、前記横幅ｔよりも大に設定されている。これは、上板部分Ｑ1 の横幅ｔが、上板部分Ｑ4 の横幅Ｔのように長く設定されていると、上板部分Ｑ1 が洗濯機と干渉して、図１に示す洗濯機設置領域Ｚに洗濯機を設置することができないからである。なお、この実施形態では、湯水用の水道用コンセント８を固定状態で収容してある枠部材５０を底部２の一つの角１００における上面２ａに接着剤で固定するにあたり、枠部材５０は、底部２の短辺Ｐに枠部材５０の長手方向（両矢印Ｓ’で示す方向）を沿わす形で配置される。なお、湯水用の水道用コンセント８は、Ｓ方向がＳ’方向に沿うよう枠部材５０に収容される。
【００２６】
また、前記ハウジング本体１０は、ハウジング本体１０の底部２６が前記底部２の上面２ａから浮いた状態で前記枠部材５０に固定されている。これにより、上面２ａに多少の水が溜まってもハウジング本体１０の底部２６やハウジング本体１０内の水栓本体９に水が付かないようにでき、湯水用の水道用コンセント８の早期の劣化を防止できる。
【００２７】
次に、湯水用の水道用コンセント８を枠部材５０に固定する固定手段について説明する。
【００２８】
図５において、枠部材５０は、側面部６０の内面に、二つの係合片４５（図７参照）に連結される縦断面Ｌ字型の連結部７０をそれぞれ有するとともに、側端面部６２の内面に、残りの二つの係合片４５に連結される縦断面Ｌ字型の連結部７１をそれぞれ有する。各係合片４５は、図７に示すように、ねじ孔７２を有する一方、連結部７０，７１は、係合片４５に載置される水平載置部分７０ａ，７１ａを有する。更に、水平載置部分７０ａ，７１ａは、ねじ孔７２に対応する位置にねじ７３が挿通可能な孔（図示せず）を有する。そして、この孔にねじ７３を通し、ねじ７３をねじ孔７２に締付けることでハウジング本体１０を枠部材５０に固定できる。
【００２９】
５６は、水栓本体９の上流部９ａに設けた水用継手１７ａ（水側の配管接続用継手）が挿通可能な穴で、底部２の一つの角１００における上面２ａに穿設されている。また、５７は、水栓本体９の上流部９ａに設けた湯用継手１７ｂ（水側の配管接続用継手）が挿通可能な穴で、底部２の一つの角１００における上面２ａに穿設されている。
【００３０】
次に、水用継手１７ａと湯用継手１７ｂについて説明する。
【００３１】
図４において、水用継手１７ａは、ミキシングカートリッジ１６の水の取入口１５に連通する連通孔７４ａが形成された金属製の座７４と、この座７４にねじ７５により連結された取付台７６と、前記座７４および取付台７６間に、シール可能で、かつ、回動自在に設けられた継手部７７とを有する。更に、この継手部７７は、周面に接続孔７８を有するとともに、内部に接続孔７８から導入された水を連通孔７４ａに送出するための導入孔７９を有する。なお、図示はしないが、連通孔７４ａには、逆止弁が収容されている。また、接続孔７８は、内ねじを有する。
【００３２】
前記座７４は、水栓本体９の上流部９ａに接続されており、この座７４の外周に継手部７７の大径下流部分７７ａをシール部材８０を介して嵌込み、続いて、取付台７６を大径下流部分７７ａの外周に嵌込むとともに、取付台７６と座７４をねじ止めする。そして、大径下流部分７７ａは、下流端に環状の外向きフランジｆを有する一方、取付台７６は、外向きフランジｆが嵌込み可能な内周溝ｍを有し、それによって、継手部７７を温度調整ハンドル１１の弁棒１９の軸心に平行な軸のまわりに回動できる。また、湯用継手１７ｂも、水用継手１７ａと同様の回動手段を有する。図３において、７７’は、継手部７７と同一構成の継手部である。また、７８’は、接続孔７８と同一構成の接続孔である。
【００３３】
次に、水用継手１７ａの継手部７７と水用配管８１’とを接続するためのフレキシブル管８２と、湯用継手１７ｂの継手部７７’と湯用配管８１’’とを接続するためのフレキシブル管８２’と、フレキシブル管８２および配管８１’間の接続状態とフレキシブル管８２’および配管８１’’間の接続状態とを点検するための点検窓とについて説明する。
【００３４】
フレキシブル管８２は、例えば合成樹脂からなる可撓管であるフレキシブル管本体８２ａを有する。フレキシブル管８２は、前記水用継手１７ａに設けた接続孔７８にフレキシブル管本体８２ａの下流端８２ｒがねじ接続され、床Ｆ直下にまで延設されている水用樹脂パイプ（水用配管）８１’にフレキシブル管本体８２ａの上流端８２ｇが接続されている。また、フレキシブル管８２’は、前記湯用継手１７ｂに設けた接続孔７８’に下流端が接続され、床Ｆ直下にまで延設されている湯用樹脂パイプ（湯用配管）８１’’に上流端が接続されている。水用のフレキシブル管８２と湯用のフレキシブル管８２’は同一構成なので、以下、フレキシブル管８２について説明する。
【００３５】
前記水用樹脂パイプ（水用配管）８１’は、先端部８１ａが第１の継手部材８４に嵌め込まれており、更に、床下に位置するモルタル材や木材などの固定部８６に固定されているクリップ８５に水用樹脂パイプ（水用配管）８１’の先端部８１ａの直上流側が上方から嵌め込まれることにより、先端部８１ａが保持されてフレキシブル管８２との接続がし易くなっている。なお、Ｆ’は、床Ｆに設けた開口である。
【００３６】
９３は、フレキシブル管本体８２ａの上流端に連通連結された中継管、９４はこの中継管９３に連通連結される連通部材である。また、第１の継手部材８４の下流端に形成された内ねじに螺合する外ねじを有する。
【００３７】
前記フレキシブル管本体８２ａは例えば合成樹脂からなる可撓管であり、その外側面を例えばステンレス製の網体によって耐圧保護している。８２ｃはフレキシブル管本体８２ａの上流端に嵌合される金属からなるリングであり、中継管９３の下流端にフレキシブル管本体８２ａを挿入した状態でこのリング８２ｃをかしめることにより、中継管９３とフレキシブル管本体８２ａとの接続を強固にしている。
【００３８】
前記中継管９３は例えば真鍮からなるパイプ材を例えばプレス加工することにより形成されている。一方、連通部材９４は例えば真鍮からなる棒材を旋盤加工などにより切削して形成しており、連通部材９４の下流端側の接続部分の外周には二つのＯリング９４ｄ，９４ｄを埋設している。そして、これらのＯリング９４ｄ，９４ｄより内側の管にはフランジ９４ｅを形成している。一方、中継管９３は、フランジ９４ｅに当接するフランジ９３ｅを有する。
【００３９】
９５はクリップで、一枚の帯状の金属部材を折曲形成してなり、挿通部Ａと、開口部Ｂと、一対の長孔Ｃ，Ｃとを有している。そして、全体として弾性を有している。そして、中継管９３に連通部材９４を連通連結し、連通部材９４を第１の継手部材８４にねじ接続し、かつ、フランジ９３ｅ，９４ｅ同士が当接した状態で、クリップ９５を両フランジ９３ｅ，９４ｅを挟み込むように挿入することにより、中継管９３に対して連通部材９４が抜け止め保持された状態となる。
更に、図示はしないが、クリップ９５の前記両フランジ９３ｅ，９４ｅからの脱落を防止するカバー（特願平９−６２４１６号明細書・図面参照）を設けるのが好ましい。これにより、外部力によるクリップ９５の脱落を防止できる。なお、フレキシブル管８２’は、フレキシブル管８２と同一構成である。
【００４０】
９６は、底部２の略中央に設けた点検窓である。この点検窓９６と床Ｆに設けた開口Ｆ’は連通している。更に、前記点検窓９６は、底部２の上面２ａから立ち上がり内側に折れ曲がる形状を有する枠体９７によって形成されている。
【００４１】
前記点検窓９６は、フレキシブル管８２および配管８１間の接続状態とフレキシブル管８２’および配管８１’間の接続状態とを点検するためのものであり、この点検窓９６の位置に上述した接続部材８２ｃ，９３，９４ｄ，９４ｅ，９４，８４等が位置する。
【００４２】
ところで、この実施形態では図１に示すように、底部２の四つの角のうち、紙面右下に位置する角１００に、湯水用の水道用コンセント８を収容してある枠部材５０を設置したが、必要に応じて、枠部材５０の設置位置が、洗濯機設置領域Ｚ以外で、底部２の前記一つの角１００からもう一つの角１０１に変更される場合がある。
【００４３】
このとき、水用継手１７ａ（水側の配管接続用継手）が挿通可能な穴５６と、湯用継手１７ｂ（水側の配管接続用継手）が挿通可能な穴５７をもう一つの角１０１に設けるとともに、角１００の枠部材５０をもう一つの角１０１に移動させるが、継手部７７，７７’を回動させて、接続孔  ７８，７８’が、常時、水用継手１７ａ、湯用継手１７ｂの側に向くようにできるので施工に際して何ら支障はない。
なお、図１において、排水トラップは、洗濯機設置領域Ｚ以外の領域で、かつ、前記角１００，１０１に設置される。また、１１１は、底部２の上面２ａに設けた溝で、排水トラップに至るよう形成されている。そのため、上面２ａの水をこの溝１１１を介して排水トラップに流すことができる。
また、枠体９７は、底部２の上面２ａから立ち上がる形状を有するので、上面２ａの水が点検窓９６を通って床面Ｆ1 に落下したり、接続部材８２ｃ，９３，９４ｄ，９４ｅ，９４，８４等に接触するのを防止できる。
【００４４】
また、湯水用の水道用コンセント８を収容してある枠部材５０を底部２および周縁部３に接着して固定するので、水道用コンセント８を設置する設置部を形成するための型枠を用意する必要はなく、安価に洗濯機用パン１を製作できる。
【００４５】
【００４６】
【００４７】
【００４８】
【発明の効果】
以上説明したようにこの発明は、給水および／または給湯機構のメンテナンスを容易に行える洗濯機用パンを提供することができる。
【図面の簡単な説明】
【図１】  この発明の第１の実施形態を示す平面図である。
【図２】  上記実施形態における要部分解斜視図である。
【図３】  上記実施形態における配管接続状態を示す構成説明図である。
【図４】  上記実施形態における要部構成説明図である。
【図５】  上記実施形態における枠部材の固定と水道用コンセントの固定状態を示す構成説明図である。
【図６】  上記実施形態で用いた湯水用の水道用コンセントにおけるハウジング本体を示す正面図である。
【図７】  上記実施形態で用いた湯水用の水道用コンセントにおける化粧カバーを外したときの正面図である。
【図８】  上記実施形態の変形例を示す平面図である。
【符号の説明】
１…洗濯機用パン、２…底部、２ａ…上面、３…周縁部、８…水道用コンセント、９…水栓本体、１０…ハウジング本体、１０ａ…上面開口、１１…温度調整ハンドル、１２…流量調整ハンドル、、１３…化粧カバー、１５…水の取入口、１６…混合湯水の温度を調整する部材、１７…配管接続用の継手、２０…流出口、５６，５７…穴、５０…枠部材、７８，７８’…接続孔、８１，８１’…配管、８２…フレキシブル管、９６…点検窓、３００…接続部、ｉ…水または混合湯水の流路、Ｆ…床、Ｆ’…開口。
【図１】
0003993790.tif 000002
【図２】
0003993790.tif 000003
【図３】
0003993790.tif 000004
【図４】
0003993790.tif 000005
【図５】
0003993790.tif 000006
【図６】
0003993790.tif 000007
【図７】
0003993790.tif 000008
【図８】
0003993790.tif 000009